(57)【要約】【課題】天板の高さを２段階に調節できるとともに、そのいずれの場合にも、脚座が常に同一位置に位置するようにした折り畳み脚付陳列台及びその支持構造を提供する。【解決手段】天板１１の下面に、折り畳み脚１６を、下方を向く使用位置と、天板１１の下面に沿う折り畳み位置とに移動鹿能として設けた折り畳み脚付陳列台１において、折り畳み脚１６の先端に脚座１７を設けるとともに、天板１１の下面における、折り畳み脚１１を使用位置としたときの脚座１７の位置と上下に整合する位置に、脚座１７と同様の別の脚座１２を設ける。【選択図】        図１
2004275411.tif 000002
【特許請求の範囲】
【請求項１】
天板の下面に、折り畳み脚を、下方を向く使用位置と、前記天板の下面に沿う折り畳み位置とに移動可能として設けた折り畳み脚付陳列台において、前記折り畳み脚の先端に脚座を設けるとともに、前記天板の下面における、前記折り畳み脚を使用位置としたときの前記脚座の位置と上下に整合する位置に、前記脚座と同様の別の脚座を設けたことを特徴とする折り畳み脚付陳列台。
【請求項２】
天板の下面に直接設けられた脚座の下面から前記天板の下面までの距離を、折り畳み位置としたときの折り畳み脚の上下方向の厚さより大とした請求項１記載の折り畳み脚付陳列台。
【請求項３】
天板の下面に直接設けられた方の脚座の直上における前記天板の上面に、同一構造とした他の折り畳み脚付陳列台における天板側の脚座と、使用位置としたときの折り畳み脚側の脚座とのいずれをも嵌合可能とした受け孔を設けた請求項１または２記載の折り畳み脚付陳列台。
【請求項４】
平面視方形とした天板の四隅に、天板側の脚座を設けるとともに、その近傍に水平軸をもって枢着した折り畳み脚の先端部側面に張り出し部を設け、個の張り出し部に、脚側の脚座を設けた請求項１〜３のいずれかに記載の折り畳み脚付陳列台。
【請求項５】
天板の四隅に、上下方向を向く管材を設け、この管材の上端開口部を受け孔とするとともに、前記管材の下端に天板側の脚座を設けた請求項３またはそれに従属する４に記載の折り畳み脚付陳列台。
【請求項６】
請求項１〜５のいずれかに記載の折り畳み脚付陳列台を載置する支持体の上面に、前記陳列台における天板側の脚座と、使用位置としたときの折り畳み脚側の脚座とのいずれをも嵌合可能とした受け孔を設けたことを特徴とする折り畳み脚付陳列台の支持構造。
【発明の詳細な説明】
【０００１】
【発明の属する技術分野】
本発明は、スーパーマーケットやホームセンター、コンビニエンスストア等に設置される商品陳列用の折り畳み脚付陳列台、及びその支持構造に関する。
【０００２】
【従来の技術】
従来のこの種の商品陳列台を積み重ねて使用する場合、上台の下部と下台の上部とに、互いに係合する凹凸部を設け、それによって、相互の位置決めを行なうようにしたものがある。（例えば、特許文献１参照）。
【０００３】
また、イベント用の仮設ステージ等において、脚を天板の下面に沿うように折り畳み可能としたものがある（例えば、特許文献２参照  ）。
【０００４】
【特許文献１】
実公平６−１１９３８号公報（第２１図及び第６図）
【特許文献２】
特開２００２−７０１７２号公報（図６）
【０００５】
【発明が解決しようとする課題】
しかし、特許文献１のものにおいては、凹凸部を設けるのに特別の加工を必要とし、製造工数が増えるとともにコスト高となる。
【０００６】
また、特許文献２のものでは、脚を折り畳んだとき、脚枢着用のハウジングの下縁が床面等に当接して、床面を傷付けたり、ハウジングの下縁が破損したりするおそれがある。
【０００７】
本発明は、従来技術の有する上述のような問題点に鑑みてなされたもので、天板の高さを２段階に調節できるとともに、そのいずれの場合にも、脚座が常に同一位置に位置するようにした折り畳み脚付陳列台、及びその支持構造を提供することを目的としている。
【０００８】
【課題を解決するための手段】
本発明によると、上記課題は、次のようにして解決される。
（１）天板の下面に、折り畳み脚を、下方を向く使用位置と、前記天板の下面に沿う折り畳み位置とに移動可能として設けた折り畳み脚付陳列台において、前記折り畳み脚の先端に脚座を設けるとともに、前記天板の下面における、前記折り畳み脚を使用位置としたときの前記脚座の位置と上下に整合する位置に、前記脚座と同様の別の脚座を設ける。
【０００９】
（２）上記（１）項において、天板の下面に直接設けられた脚座の下面から前記天板の下面までの距離を、折り畳み位置としたときの折り畳み脚の上下方向の厚さより大とする。
【００１０】
（３）上記（１）または（２）項において、天板の下面に直接設けられた方の脚座の直上における前記天板の上面に、同一構造とした他の折り畳み脚付陳列台における天板側の脚座と、使用位置としたときの折り畳み脚側の脚座とのいずれをも嵌合可能とした受け孔を設ける。
【００１１】
（４）上記（１）〜（３）項のいずれかにおいて、平面視方形とした天板の四隅に、天板側の脚座を設けるとともに、その近傍に水平軸をもって枢着した折り畳み脚の先端部側面に張り出し部を設け、個の張り出し部に、脚側の脚座を設ける。
【００１２】
（５）上記（３）またはそれに従属する（４）項において、天板の四隅に、上下方向を向く管材を設け、この管材の上端開口部を受け孔とするとともに、前記管材の下端に天板側の脚座を設ける。
【００１３】
（６）上記（１）〜（５）項のいずれかに記載の折り畳み脚付陳列台を載置する支持体の上面に、前記陳列台における天板側の脚座と、使用位置としたときの折り畳み脚側の脚座とのいずれをも嵌合可能とした受け孔を設ける。
【００１４】
【発明の実施の形態】
以下、本発明の一実施形態である商品陳列台（１）を、図１〜図６を参照しながら説明する。
【００１５】
図１に示すように、商品陳列台（１）は、支持体（２）上に載置されている。
支持体（２）の枠体は、四隅に配設した上下方向を向く４本の角管（３）を備えており、各角管（３）の上端面には、上方に向かって開口する受け孔（４）が設けられている。
【００１６】
この４本の角管（３）を、上方及び下方の連結部材（５）により互いに連結して、支持体（２）が形成されている。
【００１７】
一方、陳列台（１）の枠体は、四隅に配設した上下方向を向く４本の角管（６）を備えており、各角管（６）の上端面は、上方に向かって開口する受け孔（７）となっている。
【００１８】
この４本の角管（６）は、左右方向の連結部材（８）と、前後方向の連結部材（９）とにより、互いに連結されている。この角管（６）を、左右方向の連結部材（８）と前後方向の連結部材（９）とにより連結して形成した基台（１０）上には、天板（１１）が取り付けられている。
【００１９】
また、陳列台（１）の四隅の角管（６）の下端には、脚座、すなわち高さ調整可能なアジャスタ（１２）が取り付けられている。
【００２０】
さらに、支持体（２）の角管（３）の下端にも、脚座をなす高さ調整可能なアジャスタ（１３）が設けられている。
【００２１】
各アジャスタ（１２）（１３）は、角管（６）（３）の下端部に設けられたナット部（図示略）に螺合するアジャスタボルト（１４）と、その下端に連設された回転座（１５）とからなり、後述する閉脚時の陳列台（１）の高さは、この回転座（１５）を回転させることによって調整される。
【００２２】
また、陳列台（１）の内側四隅には、４本の折り畳み脚（１６）の基端部が、後述する蝶番（２３）（２４）をもって、水平軸まわりに回動可能として枢着されており、各折り畳み脚（１６）の先端には、脚座、すなわち高さ調整用のアジャスタ（１７）が取り付けられている。
【００２３】
図６に示すように、アジャスタ（１７）は、折り畳み脚（１６）の先端部外側面に固着された、張り出し部であるブラケット（１８）の下端に設けられたナット部（１８ａ）に螺合するアジャスタボルト（１９）と、その下端に連設された回転座（２０）とからなっている。
【００２４】
折り畳み脚（１６）の開脚時の陳列台（１）の高さは、この回転座（２０）を回転させることによって調整される。
【００２５】
図４に示すように、前後の折り畳み脚（１６）はそれぞれ２本の中間連結部材（２１）、（２２）により互いに連結されており、前後方向の連結部材（９）の下面には、それぞれ２個の蝶番（２３）（２４）が固着され、蝶番（２３）（２４）には、中間連結部材（２１）（２１）の側面が固着されており、この連結部材（２１）（２１）と折り畳み脚（１６）とは、蝶番（２３）（２４）を中心として、図１及び図３に示す下方を向く使用位置と、図４及び図５に示すように、天板（１１）の下面に沿う折り畳み位置との間を回動自在となっている。
【００２６】
陳列台（１）の天板（１１）と折り畳み脚（１６）との間には、折り曲げ可能なブレース（２５）が取付けられている。このブレース（２５）は、２個のリンク（２５ａ）（２５ｂ）から形成され、リンク（２５ｂ）の一端が折り畳み脚（１６）に、またリンク（２５ａ）の一端が天板（１１）の下面に、さらに両リンク（２５ａ）（２５ｂ）の他端同士が、ピン（２６）をもって互いに回動可能に連結されている。
【００２７】
図３及び図４に示すように、ブレース（２５）は、折り畳み脚（１６）が使用位置にあるときは、一直線に延びて、折り畳み脚（１６）を不動に保持し、折り畳み脚（１６）が折り畳み位置にあるときには、折り畳み脚（１６）とともに陳列台（１）の内部に収容されるように、ピン（２６）を中心にして、互いに重合する位置まで回動して折り曲げられる。
【００２８】
図５は、折り畳み脚（１６）を陳列台（１）の内部に収容した２個の陳列台（１）（１）を上下に積み重ねたときの正面図である。このとき、折り畳み脚（１６）は、折り畳み位置において、折り畳み脚（１６）に固着された保持手段によって保持される。この保持手段は、好ましくは天板（１１）の下面に吸着するようにした磁石（２７）である。
【００２９】
折り畳み脚（１６）を折り畳んだ状態で、上段の陳列台（１）のアジャスタ（１７）は、下段の陳列台（１）の上面の四隅に設けられた受け孔（７）に嵌合される。
これにより、高さの低い陳列台（１）として、同じ陳列台（１）に重ねることができる。
【００３０】
これに対し、陳列台（１）を高く設定したい場合には、前述したように、陳列台を上下反転させるとともに、折り畳み脚（１６）を立て、ブレース（２５）を延ばして、各折り畳み脚（１６）を使用位置に保持する。
【００３１】
この開脚状態で、アジャスタ（１０）が支持体（２）の上部に設けられた受け孔（４）に嵌合するようにして、陳列台（１）を支持体（２）の上に載置する。図６は、アジャスタ（１７）が支持体（２）の受け孔（４）に嵌合した状態を示す。これにより、陳列台（１）の高さが、折り畳み脚（１６）の折り畳み時よりも高くなる。
【００３２】
この開脚状態で、陳列台（１）と支持体（２）の上面との間に形成されたスペースに、商品等を収容することもできる。
【００３３】
【発明の効果】
（Ａ）請求項１記載の発明によると、折り畳み脚を折り畳んだり、使用位置に展開したりすることにより、天板の高さを２段階に調節することができるとともに、そのいずれの場合にも、脚座が常に同一位置に位置するので、陳列台を支持する下方の部材の受け部を変更する必要がなく、特に脚座によって陳列台の位置決めを行なっている場合には最適である。
【００３４】
（Ｂ）請求項２記載の発明によると、折り畳んだ折り畳み脚が、天板側の脚座によって支持された陳列台の下端から突出して、床面や他の支持体等に当接し、それらを傷つけたり、振動時に異音が発生したりするのを防止することができる。
【００３５】
（Ｃ）請求項３記載の発明によると、同一構造の複数の陳列台を積み重ねることができるだけでなく、その際、上段の陳列台の脚座を、下段の陳列台の受け孔に嵌合することにより、相互の位置決めと位置ずれの防止とを図ることができ、しかも、いずれの陳列台も、折り畳み脚を使用位置とした状態でも、折り畳んだ状態でも、同様にして積み重ねることができる。
【００３６】
（Ｄ）請求項４記載の発明によると、折り畳み脚の先端部側面に張り出し部を設け、ここに脚側の脚座を設けることにより、折り畳み脚を使用位置としたときの脚側の脚座と、天板側の脚座とを上下に整合させることができる。
【００３７】
（Ｅ）請求項５記載の発明によると、受け孔を簡単に形成することができるとともに、その受け孔と天板側の脚座との位置合せ、及び天板側の脚座の取付けを簡単に行なうことができる。
【００３８】
（Ｆ）請求項６記載の発明によると、支持体上に受け孔を設けておくことにより、その支持体上にも、陳列台を、上述した同一構造の複数の陳列台を積み重ねる場合と同様に（上記（Ｃ）の効果参照）、簡単に位置決めして、しかも位置ずれしないようにして、積み重ねることができるとともに、陳列台を、折り畳み脚を折り畳んだ状態でも、使用位置とした状態でも、同様にして支持台上に積み重ねることができる。
【図面の簡単な説明】
【図１】本発明の一実施形態の斜視図である。
【図２】同じく、一部切欠き平面図である。
【図３】同じく、開脚状態の陳列台の正面図である。
【図４】同じく、閉脚状態の陳列台の底面図である。
【図５】同じく、閉脚状態の２個の陳列台を積み重ねたときの正面図である。
【図６】同じく、図１のＶＩ−ＶＩ線に沿う拡大縦断面図である。
【符号の説明】
（１）商品陳列台
（２）支持体
（３）角管
（４）受け孔
（５）連結部材
（６）角管（管材）
（７）受け孔
（８）（９）連結部材
（１０）基台
（１１）天板
（１２）（１３）アジャスタ（脚体）
（１４）アジャスタボルト
（１５）回転座
（１６）折り畳み脚
（１７）アジャスタ
（１８）ブラケット（張り出し部）
（１８ａ）ナット部
（１９）アジャスタボルト
（２０）回転座
（２１）（２２）中間連結部材
（２３）（２４）蝶番
（２５）ブレース
（２５ａ）（２５ｂ）リンク
（２６）ピン
（２７）磁石（結合手段）
【図１】
2004275411.tif 000003
【図２】
2004275411.tif 000004
【図３】
2004275411.tif 000005
【図４】
2004275411.tif 000006
【図５】
2004275411.tif 000007
【図６】
2004275411.tif 000008